(57)【特許請求の範囲】
【請求項１】
少なくとも当該装置を特定する情報と錠前の施解錠に用いられる施解錠キーの登録状況を示すシーケンス情報とを前記錠前の施解錠に必要な施解錠用情報として記憶する非接触型ＩＣカードからなる施解錠用情報記憶手段と、該施解錠用情報記憶手段に記憶している施解錠用情報が書き込まれる占有部側記憶部とを備え、前記施解錠キーの登録が行われる前は前記施解錠用情報記憶手段が有効利用フラグが立っていない状態であり、前記施解錠キーの初期登録が完了したときに前記有効利用フラグを立て、前記施解錠用情報記憶手段が記憶している施解錠用情報を前記占有部側記憶部に書き込んだ後に非活性化状態にする、利用者専用の占有部に配設される占有部側電気錠装置と、
前記施解錠キーから読み取った前記施解錠用情報と、前記施解錠キーを登録した前記占有部側電気錠装置が配設される前記占有部の位置情報とを関連付けして記憶する共用部側電気錠装置と、
を備えたことを特徴とする電気錠システム。
【請求項２】
前記施解錠キーを再登録するときには、前記占有部側電気錠装置にて前記シーケンス情報を変更した新たな施解錠用情報が前記施解錠キーに書き込まれ、
前記共用部側電気錠装置は、前記施解錠キーから新たな施解錠用情報を読み取ると、過去の施解錠用情報を新たな施解錠用情報に書き換えて記憶することを特徴とする請求項１記載の電気錠システム。
【請求項３】
前記占有部側電気錠装置から前記施解錠用情報を読み取り、当該読み取った施解錠用情報を前記施解錠キー及び前記共用部側電気錠装置に書き込んで前記施解錠用情報を登録する情報登録装置を備えたことを特徴とする請求項１記載の電気錠システム。
【請求項４】
前記情報登録装置は、前記施解錠キーを再登録するときに、前記シーケンス情報を変更した新たな施解錠用情報を前記施解錠キーに書き込み、
前記共用部側電気錠装置は、前記施解錠キーに記憶された新たな施解錠用情報を読み取ると、過去の施解錠用情報を新たな施解錠用情報に書き換えて記憶することを特徴とする請求項３記載の電気錠システム。
【発明の詳細な説明】
【技術分野】
【０００１】
本発明は、錠の施解錠を電気的に行う電気錠システムに係り、特に建物の占有部、共用部のそれぞれで使用する施解錠キーの登録・管理を簡便化する電気錠システムに関するものである。
【背景技術】
【０００２】
従来より、セキュリティの向上や操作性の向上を目的に、オフィスビルやマンションなどの集合住宅における各種扉の錠前部分には、不審者の侵入を回避するため、防犯性に富んだ電気錠システムが採用されている。この種の電気錠システムでは、利用者が所有する携帯電話、携帯型のリモコンキー、カードキーなどの施解錠時に必要な施解錠用情報を記憶した施解錠キーを用い、施解錠キーが送信する施解錠用情報を取得し、この取得した施解錠用情報の照合結果に基づいて錠の施解錠を行う。なお、この種の電気錠システムとしては、下記特許文献１に開示されるものが公知である。
【特許文献１】特開平１０−２４６０４３号公報
【発明の開示】
【発明が解決しようとする課題】
【０００３】
ところで、特許文献１を含む従来の電気錠システムをマンションなどの集合住宅に採用した場合、エントランスなどの共用部と住居用の占有部とにそれぞれ電気錠が設けられる構成となる。しかしながら、施解錠時に使用する施解錠キーの登録に際し、入居人数分だけ共用部の電気錠、占有部の電気錠にそれぞれ登録を行う必要があるため、登録作業が非常に煩雑であった。また、入居前に登録した施解錠キーは、住人が入居するまで厳重に管理しなければならず、管理する施工管理者の作業負担となり、重責を負っていた。
【０００４】
さらに、住人が退去するときや施解錠キーを紛失した場合は、住人が使用していた施解錠キーの登録抹消や新たに入居する住人用の施解錠キーの登録作業を共用部、占有部共に行わなければならず煩雑であった。また、通常、入居後の処理を集合住宅の管理人が行うが、この処理に関する管理人の技術知識が乏しいことが多いため、正確に施解錠キーの登録・抹消を行うことができず、セキュリティ性が損なわれる虞があった。
【０００５】
そこで、本発明は上記問題点に鑑みてなされたものであり、施解錠キーの管理が必要なく、簡便に施解錠キーの登録・抹消が行える電気錠システムを提供することを目的とするものである。
【課題を解決するための手段】
【０００６】
上記した目的を達成するために、請求項１記載の電気錠システムは、少なくとも当該装置を特定する情報と錠前の施解錠に用いられる施解錠キーの登録状況を示すシーケンス情報とを前記錠前の施解錠に必要な施解錠用情報として記憶する非接触型ＩＣカードからなる施解錠用情報記憶手段と、該施解錠用情報記憶手段に記憶している施解錠用情報が書き込まれる占有部側記憶部とを備え、前記施解錠キーの登録が行われる前は前記施解錠用情報記憶手段が有効利用フラグが立っていない状態であり、前記施解錠キーの初期登録が完了したときに前記有効利用フラグを立て、前記施解錠用情報記憶手段が記憶している施解錠用情報を前記占有部側記憶部に書き込んだ後に非活性化状態にする、利用者専用の占有部に配設される占有部側電気錠装置と、
前記施解錠キーから読み取った前記施解錠用情報と、前記施解錠キーを登録した前記占有部側電気錠装置が配設される前記占有部の位置情報とを関連付けして記憶する共用部側電気錠装置と、
を備えたことを特徴とする。
【０００７】
請求項２記載の電気錠システムは、請求項１記載の電気錠システムにおいて、
前記施解錠キーを再登録するときには、前記占有部側電気錠装置にて前記シーケンス情報を変更した新たな施解錠用情報が前記施解錠キーに書き込まれ、
前記共用部側電気錠装置は、前記施解錠キーから新たな施解錠用情報を読み取ると、過去の施解錠用情報を新たな施解錠用情報に書き換えて記憶することを特徴とする。
【０００８】
請求項３記載の電気錠システムは、請求項１記載の電気錠システムにおいて、
前記占有部側電気錠装置から前記施解錠用情報を読み取り、当該読み取った施解錠用情報を前記施解錠キー及び前記共用部側電気錠装置に書き込んで前記施解錠用情報を登録する情報登録装置を備えたことを特徴とする。
【０００９】
請求項４記載の電気錠システムは、請求項３記載の電気錠システムにおいて、
前記情報登録装置は、前記施解錠キーを再登録するときに、前記シーケンス情報を変更した新たな施解錠用情報を前記施解錠キーに書き込み、
前記共用部側電気錠装置は、前記施解錠キーに記憶された新たな施解錠用情報を読み取ると、過去の施解錠用情報を新たな施解錠用情報に書き換えて記憶することを特徴とする。
【発明の効果】
【００１１】
本発明の電気錠システムによれば、入居前の施解錠キーの管理負担が軽減されるとともに、施解錠キーの登録が各住居１枚ずつで済み、施解錠キーの登録作業の手間を省くことができる。
【００１２】
また、入居者入れ替え時や施解錠キーの紛失などで施解錠キーを再登録する際は、占有部側電気錠装置から施解錠キーに施解錠用情報のシーケンス情報を変更した新たな施解錠用情報を書き込まれ、その施解錠キーを共用部側電気錠装置で使用することで、過去の施解錠用情報からシーケンス情報が１つ繰り上がった新たな施解錠用情報に書き換えられるため、施解錠キーの抹消作業の手間が省けるとともに、紛失した施解錠キーによる不正利用を防止することができる。
【００１３】
さらに、情報登録装置を用いた形態の場合、この情報登録装置で占有部側電気錠装置から施解錠用情報を読み取り、この読み取った施解錠用情報を共用部側電気錠装置に一括して書き込むことができるため、共用部側電気錠装置への施解錠用情報の登録作業を簡便化することができる。
【００１４】
また、情報登録装置を用いて施解錠用情報の読み取り又は書き込みを行っているため、建築中の物件で電源が供給されていない状態であっても施解錠用情報の読み取り及び書き込みが可能となり、施工時のセキュリティ向上が図れるとともに、入居後はシーケンス情報が１つ繰り上がって書き換わるため、施工時に使用していた施解錠キーによる不正利用を防止することができる。
【発明を実施するための最良の形態】
【００１５】
以下、本発明を実施するための最良の形態について、添付した図面を参照しながら詳細に説明する。図１は本発明に係る第１形態の電気錠システムの構成を説明するための概略ブロック図であり、図２（ａ）、（ｂ）は同電気錠システムの動作を説明するためのフローチャート図である。
また、図３は本発明に係る第２形態の電気錠システムの構成を説明するための概略ブロック図であり、図４（ａ）、（ｂ）は同電気錠システムの動作を説明するためのフローチャート図である。
【００１６】
本例のカードロックシステムは、例えばホテル客室、住宅玄関扉、事務出入り口等に採用される。ここでは、マンションなどの集合住宅に採用した場合の電気錠システムを例にとって説明するが、これに限定されることはなく、例えばホテル、公共施設やオフィスビルなどにも採用することができる。
【００１７】
＜第１形態＞
まず、本発明に係る第１形態の電気錠システムについて、図１及び図２を参照しながら説明する。
【００１８】
〔第１形態の構成〕
図１に示すように、第１形態の電気錠システム１は、利用者が施解錠時に使用する施解錠キー１０、住人が入居する各住居である占有部に配設された占有部側電気錠装置２０、エントランスなどの共用部に配設された共用部側電気錠装置３０で概略構成される。
【００１９】
施解錠キー１０は、例えば非接触型ＩＣチップやＲＦＩＤタグ（Radio Frequency Identification  Tag ）を搭載した非接触型ＩＣカードなどの各種カード状記憶媒体、リモコンキー、利用者が所有する携帯電話などで構成される。施解錠キー１０には、施解錠時に、正当な施解錠キー１０であるか否かを認証するための施解錠用情報（占有部側電気錠装置２０を特定する情報としてのシリアル番号、枝番、利用者の入れ替え回数やキーの紛失による再登録回数、追番などの施解錠キー１０の登録状況を示すシーケンス情報）のリード／ライトが可能な記憶領域を備えている。施解錠キー１０は、施解錠用情報の登録作業時に、管理者によって占有部側電気錠装置２０の施解錠情報が書き込まれる。施解錠キー１０は、施解錠操作時に、共用部側電気錠装置３０若しくは占有部側電気錠装置２０に施解錠用情報が読み取られる。
【００２０】
占有部側電気錠装置２０は、入居者が住む占有部（部屋）の扉や扉近傍に設けられ、占有部側情報読書部２１、占有部側記憶部２２、占有部側制御部２３、占有部側施解錠機構２４、占有部側電源部２５を備えている。
【００２１】
占有部側情報読書部２１は、例えばリモコンなどの無線型キーとの間で情報をリード／ライトする送受信器、ＩＣカード，非接触型ＩＣチップやＲＦＩＤタグ（Radio Frequency Identification  Tag ）を搭載した非接触型ＩＣカードなどのカード状記憶媒体との間で情報をリード／ライトするカードリーダ／ライタなど、利用者が所持する施解錠キー１０との間で施解錠用情報を含む各種情報を読み書きするためのリーダ／ライタで構成される。占有部側情報読書部２１は、マンションなどの集合住宅の占有部の扉や扉近傍の壁の所定箇所に設けられ、施解錠操作時に施解錠キー１０から施解錠用情報を読み取り、この読み取った施解錠用情報を占有部側制御部２３に出力している。
【００２２】
また、占有部側情報読書部２１は、非接触型ＩＣカードで構成される施解錠用情報記憶手段２１ａを備えており、施解錠キー１０の初期登録時は施解錠用情報記憶手段２１ａに記憶される施解錠用情報を施解錠キー１０に書き込んでいる。なお、施解錠用情報記憶手段２１ａは、施解錠キー１０の登録が行われる前は有効利用フラグが立っていない状態（例えばフラグ：０）であり、施解錠キー１０の初期登録が完了すると、占有部側制御部２３の制御により、有効利用フラグが立ち（例えばフラグ：１）、自身が記憶している施解錠用情報が占有部側記憶部２２に書き込まれた後、非活性化状態（使用不可状態）となる。
【００２３】
占有部側記憶部２２は、例えば磁気的、光学的記憶媒体若しくはＲＯＭ、ＲＡＭ等の半導体メモリで構成され、各装置固有の情報である施解錠用情報を記憶している。占有部側記憶部２２は、施解錠キー１０の初期登録終了後、占有部側制御部２３の制御により、施解錠用情報記憶手段２１ａに記憶される施解錠用情報が書き込まれる。また、占有部側記憶部２２は、入居者入れ替え時や施解錠キー１０の紛失などで施解錠キー１０を再登録する際に、占有部側制御部２３の制御により、シーケンス情報が変更された新たな施解錠用情報（利用者の入れ替え回数やキーの紛失による再登録回数などが１つ繰り上げ変更された施解錠用情報）に書き換えられる。
【００２４】
占有部側制御部２３は、例えばＣＰＵやＲＯＭ、ＲＡＭなどのマイクロコンピュータで構成され、占有部側情報読書部２１からの施解錠用情報と占有部側記憶部２２に記憶される施解錠用情報とを照合してその正当性を判別し、正常に認証した場合（記憶している施解錠情報と同じシーケンス情報であるか、若しくは記憶している施解錠用情報のシーケンス情報が繰り上がった施解錠用情報であった場合）のみ、そのときの施解錠機構の状態（錠前の施解錠状態や扉の開閉状態）に応じて占有部側施解錠機構２４に駆動制御信号を出力している。
【００２５】
また、占有部側制御部２３は、施解錠キー１０の初期登録終了後に、施解錠用情報記憶手段２１ａに記憶される施解錠用情報を占有部側記憶部２２に書き込む制御をするとともに、施解錠用情報記憶手段２１ａの利用有効フラグを立てて使用不可にしている。さらに、占有部側制御部２３は、入居者入れ替え時や施解錠キー１０の紛失時などで施解錠キー１０を再登録する際に、施解錠用情報記憶手段２１ａに記憶される施解錠用情報のシーケンス情報を変更する制御、変更された施解錠用情報を新たな施解錠用情報として書き換える制御をしている。
【００２６】
占有部側施解錠機構２４は、例えばモータやソレノイド等の駆動装置と錠前で構成され、占有部側制御部２３から入力される駆動制御信号により錠前を施錠または解錠するべく駆動し、扉枠の係止穴に対してデッドボルトを突出（施錠時）又は引き込む（解錠時）ことにより錠前が施解錠される。
【００２７】
占有部側電源部２５は、外部電源としての商用電源（ＡＣ１００Ｖ）から電源の供給を受け、各部に駆動電源を供給している。なお、占有部側電源部２５は、扉の所定箇所に着脱交換可能に設けられる扉内電池ユニットで構成することもできる。
【００２８】
共用部側電気錠装置３０は、例えば共用口（エントランス：建物の入口部分）などの共用部に配設され、共用部側情報読書部３１、共用部側記憶部３２、共用部側制御部３３、共用部側施解錠機構３４、共用部側電源部３５を備えている。
【００２９】
共用部側情報読書部３１は、例えばリモコンなどの無線型キーとの間で情報をリード／ライトする送受信器、ＩＣカード，非接触型ＩＣチップやＲＦＩＤタグ（Radio Frequency Identification  Tag ）を搭載した非接触型ＩＣカードなどのカード状記憶媒体との間で情報をリード／ライトするカードリーダ／ライタなど、利用者が所持する施解錠キー１０との間で施解錠用情報を含む各種情報を読み書きするためのリーダ／ライタで構成される。共用部側情報読書部３１は、マンションなどの集合住宅の共用口の扉や扉近傍の壁の所定箇所に設けられ、施解錠操作時に施解錠キー１０から施解錠用情報を読み取り、この読み取った施解錠用情報を占有部側制御部２３に出力している。
【００３０】
共用部側記憶部３２は、例えば磁気的、光学的記憶媒体若しくはＲＯＭ、ＲＡＭ等の半導体メモリで構成される。共用部側記憶部３２は、共用部側制御部３３の制御により、共用部側情報読書部３１で読み取った施解錠用情報におけるシリアル番号と、その施解錠キー１０を登録した占有部の部屋番号（位置情報）とを関連付けした状態で認証用施解錠用情報として記憶し、シーケンス情報が繰り上がった施解錠用情報を入力したときは、この施解錠用情報を新たな認証用施解錠用情報として書き換えられている。なお、施解錠用情報は、この情報に含まれるシリアル番号と、その施解錠用情報を読み取った占有部の部屋番号（位置情報）とを関連付けして記憶するため、各住居１枚のみ登録することで、その住居内で枝番にて区別される各住人用の施解錠キー１０全てが使用可能となる。
【００３１】
共用部側制御部３３は、例えばＣＰＵやＲＯＭ、ＲＡＭなどのマイクロコンピュータで構成され、共用部側情報読書部３１からの施解錠用情報と共用部側記憶部３２に記憶される認証用施解錠用情報とを照合してその正当性を判別し、正常に認証した場合（共用部側記憶部３２に記憶される認証用施解錠用情報であるか、若しくはこの認証用施解錠用情報のシーケンス情報が繰り上がった施解錠用情報であった場合）のみ、そのときの共用部側施解錠機構３４の状態（錠前の施解錠状態や扉の開閉状態）に応じて共用部側施解錠機構３４に駆動制御信号を出力している。また、共用部側制御部３３は、共用部側情報読書部３１からシーケンス情報が繰り上がった施解錠用情報が入力すると、この施解錠用情報を新たな認証用施解錠用情報として共用部側記憶部３２に記憶させている。
【００３２】
共用部側施解錠機構３４は、例えばモータやソレノイドなどの駆動装置と錠前で構成される錠機構や自動ドアを開閉する自動ドア装置であり、共用部側制御部３３から入力される駆動制御信号（解錠信号又は施錠信号）により共用口の錠前（自動ドア）を施錠（閉扉）又は解錠（開扉）するべく駆動する。
【００３３】
共用部側電源部３５は、外部電源としての商用電源（ＡＣ１００ＶやＡＣ２００Ｖ）から電源の供給を受け、各部に駆動電源を供給している。  
【００３４】
〔第１形態の動作〕
次に、図２を参照しながら、上述した第１形態の電気錠システム１の動作について説明する。ここでは、入居前における施解錠キー１０を登録する際の動作（図２（ａ）を参照）、入居後における入居入れ替え時や施解錠キー１０の紛失などで施解錠キー１０を再登録する際の動作（図２（ｂ）を参照）についてそれぞれ説明する。
【００３５】
なお、以下の説明では、占有部側電気錠装置２０及び共用部側電気錠装置３０における施解錠動作については、従来からの施解錠動作と同様であるため、その説明を省略し、本発明の特徴である施解錠キー１０の登録動作についてのみ説明する。
【００３６】
まず、入居前における施解錠キー１０を登録する際の動作について説明する。図２（ａ）に示すように、占有部に配設される占有部側電気錠装置２０は、工場製造時に各装置毎の施解錠用情報が施解錠用情報記憶手段２１ａに記憶された状態で出荷され、占有部の所定箇所に配設される（ＳＴ１）。管理者は、占有部に配設された占有部側電気錠装置２０に記憶された施解錠用情報を、施解錠用情報が書き込まれていない状態の施解錠キー１０に書き込ませる（ＳＴ２）。
【００３７】
このとき、施解錠キー１０に書き込まれる施解錠用情報としては、例えば占有部側電気錠装置２０のシリアル番号：１２３４５６、枝番：１、シーケンス情報（入居者入れ替え回数：０、追番：１）が書き込まれる。
【００３８】
なお、ＳＴ２において施解錠キー１０の初期登録作業が完了すると、施解錠用情報記憶手段２１ａに記憶される施解錠用情報は占有部側記憶部２２に書き込まれ、施解錠用情報記憶手段２１ａは非活性化する。
【００３９】
次に、施解錠キー１０に記憶した施解錠用情報を、共用部に配設された共用部側電気錠装置３０に読み取らせる（ＳＴ３）。
【００４０】
これにより、施解錠キー１０の施解錠用情報が、その施解錠キー１０を登録した占有部の部屋番号（位置情報）と関連付けされた状態で共用部側電気錠装置３０に記憶されるため、施解錠キー１０を用いて占有部側電気錠装置２０及び共用部側電気錠装置３０の施解錠が可能となる。
【００４１】
次に、入居後における入居入れ替え時や施解錠キー１０の紛失などで施解錠キー１０を再登録する際の動作について説明する。図２（ｂ）に示すように、管理者は、占有部側電気錠装置２０に記憶される施解錠用情報を、施解錠用情報が書き込まれていない状態の施解錠キー１０若しくは以前使っていた施解錠キー１０に書き込ませる（ＳＴ１１）。
【００４２】
このとき、施解錠キー１０に書き込まれる施解錠用情報としては、以前に使用していた施解錠用情報におけるシーケンス情報を繰り上げ変更された施解錠用情報であり、例えば占有部側電気錠装置２０のシリアル番号：１２３４５６、枝番：１、シーケンス情報（入居者入れ替え回数：１、追番：２）が書き込まれる。
【００４３】
次に、施解錠キー１０に記憶した新たな施解錠用情報を、共用部に配設された共用部側電気錠装置３０に読み取らせる（ＳＴ１２）。
【００４４】
これにより、占有部側電気錠装置２０及び共用部側電気錠装置３０は、施解錠時に読み取った施解錠用情報が、各装置に記憶される施解錠用情報のシーケンス情報と同じ情報若しくはシーケンス情報が繰り上がった情報であった場合のみ施解錠制御を行う。このため、過去の施解錠用情報は無効となり、占有部側電気錠装置２０及び共用部側電気錠装置３０における施解錠キー１０の抹消や再登録作業が不要となる。
【００４５】
＜第２形態＞
次に、本例の電気錠システム１の第２形態について図３及び図４を参照しながら説明する。なお、図１及び図２で説明した第１形態の電気錠システム１１と同一の構成要素には同一番号を付し、その説明を省略している。
〔第２形態の構成〕
【００４６】
第２形態の電気錠システム１は、図１の電気錠システム１の構成である占有部側電気錠装置２０に記憶される施解錠用情報を、情報登録装置４０を介して施解錠キー１０及び共用部側電気錠装置３０に登録する構成である。
【００４７】
情報登録装置４０は、各種情報のリード／ライトが可能なハンディタイプのデータ収録装置であり、登録装置側情報読書部４１、登録装置側記憶部４２、登録装置側制御部４３、登録装置側操作部４４、登録装置側表示部４５を備えて構成される。
【００４８】
登録装置側情報読書部４１は、占有部側電気錠装置２０に記憶される施解錠用情報を読み取り、この読み取った施解錠用情報を共用部側電気錠装置３０及び施解錠キー１０に書き込みするためのリーダ／ライタである。登録装置側情報読書部４１は、入居前における施解錠用情報の登録作業時に、登録装置側制御部４３の制御により、占有部側電気錠装置２０に記憶される施解錠用情報を読み取り、この読み取った施解錠用情報を登録装置側制御部４３に出力している。
【００４９】
また、登録装置側情報読書部４１は、入居前における施解錠用情報登録時に、登録装置側制御部４３の制御により、読み取った施解錠用情報を施解錠キー１０に書き込み、また、共用部側電気錠装置３０には、読み取った施解錠用情報のシリアル番号と、その施解錠用情報を読み取った占有部の部屋番号（位置情報）とを関連付けした状態で書き込んでいる。
【００５０】
さらに、登録装置側情報読書部４１は、入居者入れ替え時や施解錠キー１０の紛失時などで施解錠キー１０を再登録する際に、登録装置側制御部４３の制御により、シーケンス情報を繰り上げ変更した施解錠用情報を、新たな施解錠用情報として施解錠キー１０に書き込んでいる。
【００５１】
登録装置側記憶部４２は、例えば磁気的、光学的記憶媒体若しくはＲＯＭ、ＲＡＭ等の半導体メモリで構成され、登録装置側制御部４３の制御により、登録装置側情報読書部４１で読み取った施解錠用情報のシリアル番号と、その施解錠用情報を読み取った占有部の部屋番号（位置情報）とを関連付けした状態で記憶している。また、登録装置側記憶部４２は、入居者入れ替え時や施解錠キー１０の紛失時などで施解錠キー１０を再登録する際に、登録装置側制御部４３の制御により、記憶している施解錠用情報のシーケンス情報が変更された新たな施解錠用情報（利用者の入れ替え回数やキーの紛失による再登録回数などが１つ繰り上げられた施解錠用情報）に書き換えられる。
【００５２】
登録装置側制御部４３は、例えばＣＰＵやＲＯＭ、ＲＡＭなどのマイクロコンピュータで構成され、施解錠用情報の読み取り及び書き込み制御、読み取った施解錠用情報のシリアル番号と、登録装置側操作部４４で入力された施解錠キー１０を登録した占有部の部屋番号（位置情報）とを関連付けした状態で登録装置側記憶部４２に記憶させる制御、入居者入れ替え時や施解錠キー１０の紛失時などで施解錠キー１０を再登録する際に、施解錠用情報のシーケンス情報を変更（利用者の入れ替え回数やキーの紛失による再登録回数などを１つ繰り上げる）する制御、変更した施解錠用情報を新たな施解錠用情報として登録装置側記憶部４２に記憶させる制御の他、情報登録装置４０を構成する各部の駆動制御を行っている。
【００５３】
登録装置側操作部４４は、テンキー、十字キー、ファンクションキーなどの各種入力キーで構成され、施解錠用情報を読み取った占有部の部屋番号（位置情報）の入力の他、情報登録装置４０の駆動時に必要に応じて操作される。
【００５４】
登録装置側表示部４５は、例えばＬＥＤ、蛍光表示管、液晶画面などの表示機器で構成され、登録装置側制御部４３の制御により、装置駆動に基づく各種表示内容の表示を行っている。
【００５５】
〔第２形態の動作〕
次に、図４を参照しながら、上述した第２形態の電気錠システム１の動作について説明する。ここでは、入居前における施解錠キー１０を登録する際の動作（図４（ａ）を参照）、入居後における入居入れ替え時や施解錠キー１０の紛失などで施解錠キー１０を再登録する際の動作（図４（ｂ）を参照）についてそれぞれ説明する。
【００５６】
なお、以下の説明では、第１形態と同じく、占有部側電気錠装置２０及び共用部側電気錠装置３０における施解錠動作については、従来からの施解錠動作と同様であるため、その説明を省略し、本発明の特徴である施解錠キー１０の登録動作についてのみ説明する。
【００５７】
まず、入居前における施解錠キー１０を登録する際の動作について説明する。図４（ａ）に示すように、占有部に配設される占有部側電気錠装置２０は、工場製造時に各装置毎の施解錠用情報が施解錠用情報記憶手段２１ａに記憶された状態で出荷され、占有部の所定箇所に配設される（ＳＴ２１）。管理者は、情報登録装置４０で占有部側電気錠装置２０に記憶された施解錠用情報を読み取る（ＳＴ２２）。
【００５８】
このとき、情報登録装置４０に書き込まれる施解錠用情報としては、例えば占有部側電気錠装置２０のシリアル番号：１２３４５６、枝番：１、シーケンス情報（入居者入れ替え回数：０、追番：１）が書き込まれる。そして、読み取った施解錠用情報を施解錠キー１０に登録する（ＳＴ２３）。
【００５９】
なお、施解錠キーの初期登録作業が完了すると、施解錠用情報記憶手段２１ａに記憶される施解錠用情報は占有部側記憶部２２に書き込まれ、施解錠用情報記憶手段２１ａは非活性化する。
【００６０】
次に、情報登録装置４０に記憶された施解錠用情報を共用部に配設される共用部側電気錠装置３０に書き込む（ＳＴ２４）。
【００６１】
これにより、施解錠キー１０の施解錠用情報が、占有部側電気錠装置２０が配設された部屋番号（位置情報）と関連付けされた状態で一括して書き込まれるため、共用部側電気錠装置３０に対する施解錠用情報の登録作業が簡便化する。
【００６２】
次に、入居後における入居入れ替え時や施解錠キー１０の紛失などで施解錠キー１０を再登録する際の動作について説明する。図４（ｂ）に示すように、管理者は、情報登録装置４０を用いて、施解錠用情報が書き込まれていない状態の施解錠キー１０若しくは以前使っていた施解錠キー１０に、シーケンス情報が変更された施解錠用情報を書き込む（ＳＴ３１）。
【００６３】
このとき、施解錠キー１０に書き込まれる施解錠用情報としては、以前に使用していた施解錠用情報におけるシーケンス情報を繰り上げた施解錠用情報であり、例えば占有部側電気錠装置２０のシリアル番号：１２３４５６、枝番：１、シーケンス情報（入居者入れ替え回数：１、追番：２）が書き込まれる。
【００６４】
これにより、占有部側電気錠装置２０及び共用部側電気錠装置３０は、施解錠時に読み取った施解錠用情報が、各装置に記憶されている施解錠用情報のシーケンス情報と同じ情報若しくはシーケンス情報が繰り上がった情報であった場合のみ施解錠制御を行うため、各装置に記憶される過去の施解錠用情報は無効となり、占有部側電気錠装置２０及び共用部側電気錠装置３０における施解錠キー１０の抹消や再登録作業が不要となる。
【００６５】
このように、上述した第１形態の電気錠システム１は、施解錠キー１０を登録する際に、施解錠用情報が書き込まれていない施解錠キー１０を用いて占有部に配設される占有部側電気錠装置２０個々の施解錠用情報を読み取り、この施解錠キー１０で読み取った施解錠用情報に含まれる占有部側電気錠装置２０と特定するシリアル番号と、その施解錠用情報を読み取った占有部の部屋番号（位置情報）とを関連付けた状態で共用部に配設される共用部側電気錠装置３０に書き込ませて登録する。
【００６６】
これにより、入居前における施解錠キー１０の管理負担が軽減されるとともに、施解錠キー１０の登録が各住居１枚ずつで済み、施解錠キー１０の登録作業の手間を省くことができる。
【００６７】
さらに、第１形態では、入居者入れ替え時や施解錠キー１０の紛失などで施解錠キー１０を再登録する際は、占有部側電気錠装置２０から施解錠キー１０に施解錠用情報のシーケンス情報を変更した新たな施解錠用情報を書き込まれ、その施解錠キー１０を共用部側電気錠装置３０で使用することで、過去の施解錠用情報からシーケンス情報が１つ繰り上がった新たな施解錠用情報に書き換えられる。このため、施解錠キー１０の抹消作業の手間が省けるとともに、紛失した施解錠キー１０による不正利用を防止することができる。
【００６８】
また、第２形態の電気錠システム１は、情報登録装置４０を用いて占有部側電気錠装置２０から施解錠用情報を読み取り、この読み取った施解錠用情報を共用部側電気錠装置３０に一括して書き込むことができる。このため、共用部側電気錠装置３０への施解錠用情報の登録作業を簡便化することができる。
【００６９】
さらに、第２形態では、施解錠用情報を情報登録装置４０で読み取り／書き込みを行っている。このため、建築中の物件で電源が供給されていない状態であっても施解錠用情報の読み取り及び書き込みが可能となり、施工時のセキュリティ向上が図れる。しかも、入居後はシーケンス情報が１つ繰り上がって書き換わるため、施工時に使用していた施解錠キー１０による不正利用を防止することができる。
【００７０】
また、第２形態では、入居者入れ替え時や施解錠キー１０の紛失などで施解錠キー１０を再登録する際は、情報登録装置４０でシーケンス情報を変更した新たな施解錠用情報を施解錠キー１０に書き込み、その施解錠キー１０を共用部側電気錠装置３０で使用することで、過去の施解錠用情報が新たな施解錠用情報に書き換えられる。このため、施解錠キー１０の抹消作業の手間が省けるとともに、紛失した施解錠キー１０による不正利用を防止することができる。
【図面の簡単な説明】
【００７１】
【図１】本発明に係る本発明に係る第１形態の電気錠システムの構成を説明するための概略ブロック図である。
【図２】（ａ）、（ｂ）  同電気錠システムの動作を説明するためのフローチャート図である。
【図３】本発明に係る第２形態の電気錠システムの構成を説明するための概略ブロック図である。
【図４】（ａ）、（ｂ）  同電気錠システムの動作を説明するためのフローチャート図である。
【符号の説明】
【００７２】
１  電気錠システム
１０  施解錠キー
２０  占有部側電気錠装置
２１  占有部側情報読書部
２１ａ  施解錠用情報記憶手段
２２  占有部側記憶部
２３  占有部側制御部
２４  占有部側施解錠機構
２５  占有部側電源部
３０  共用部側電気錠装置
３１  共用部側情報読書部
３２  共用部側制御部
３３  共用部側施解錠機構
３４  共用部側電源部
４０  情報登録装置
４１  登録装置側情報読書部
４２  登録装置側記憶部
４３  登録装置側制御部
４４  登録装置側操作部
４５  登録装置側表示部
【図１】
0005289802.tif 000002
【図２】
0005289802.tif 000003
【図３】
0005289802.tif 000004
【図４】
0005289802.tif 000005